(57)【要約】【課題】着信音を放音する携帯端末において、近隣の人たちに極力迷惑がかからないようにすることができ、かつ、着信音の判別を容易にするとともに、使用者が着信からの経過時間を認識することができるようにする。【解決手段】本発明の携帯端末は、楽曲データからなる複数の着信音データと、任意に指定された、着信音データの再生の順序を示す情報および着信音データの再生時間の情報とを記憶する記憶手段（ＲＡＭ・１ｃ）と、着信の際、指定された再生の順序で、指定された再生時間毎に、順序指定された着信音データのそれぞれを順次再生させる制御手段（ＣＰＵ・１ａ）とを備える。【選択図】　　　　図１
2004040240.tif 000002
【特許請求の範囲】
【請求項１】
着信音を放音する携帯端末において、
楽曲データからなる複数の着信音データと、任意に指定された、着信音データの再生の順序を示す情報および着信音データの再生時間の情報と、を記憶する記憶手段と、
着信の際、前記指定された再生の順序で、前記指定された再生時間毎に、順序指定された着信音データのそれぞれを順次再生させる制御手段と、を具備する
ことを特徴とする携帯端末。
【請求項２】
前記再生時間は、再生させる着信音データ毎に設定される
ことを特徴とする請求項１に記載の携帯端末。
【発明の詳細な説明】
【０００１】
【発明の属する技術分野】
本発明は、携帯電話機やページャ等の着信音を放音する携帯端末に関する。
【０００２】
【従来の技術】
例えば携帯電話機を、ポケットやバッグの中に入れておいた場合、その着信時の呼出音（着信音）を聞き逃してしまうことがある。また、場合によってはこの着信音を聞き流してしまう場合もある。
こうしたことから、特開平０９−００８８７３号公報に開示された音量制御装置の発明では、周囲雑音の音圧レベルに対しレベル差（音圧差）をもたせる呼出し音量を設定し、設定された音量に基づいて呼出し音鳴動後所定時間経過後に呼出し音量を一律に増幅させる音量制御をすることで、使用者側での着信音の判別を容易にしている。
【０００３】
【発明が解決しようとする課題】
しかし、上記発明では、使用者が携帯電話機から離れている場合、例えば、事務所の机上に自分の携帯電話機を置いたまま会議に出席している場合などに、所定時間経過後、着信の判別が可能な音量に増幅された呼出音量で着信音が放音されると、近隣の者に迷惑をかけることになる。
一方、現在では、携帯電話機等の着信音として、ベル音のような単純な呼出音ではなく着信メロディが利用されるようになっている。しかし、人混みの中で着信メロディが鳴っても、人気のある着信メロディでは自分の携帯電話が鳴っているのか、他人の携帯電話が鳴っているのか区別がつかないことがある。また、うっかり着信音を聞き流すと、着信のはじまりからの経過時間が分からない。
【０００４】
本発明は、上記の点に鑑みてなされたもので、着信音の音量の増幅等によらず着信音の判別を容易にするとともに、使用者が着信からの経過時間を認識することができる、着信音を放音する携帯端末を提供するものである。
【０００５】
【課題を解決するための手段】
本発明の携帯端末は、着信音を放音する携帯端末において、楽曲データからなる複数の着信音データと、任意に指定された、着信音データの再生の順序を示す情報および着信音データの再生時間の情報と、を記憶する記憶手段と、着信の際、前記指定された再生の順序で、前記指定された再生時間毎に、順序指定された着信音データのそれぞれを順次再生させる制御手段と、を具備することを特徴とする。
【０００６】
また、本発明の携帯端末は、前記再生時間が、再生させる着信音データ毎に設定されることを特徴とする。
【０００７】
本発明の携帯端末では、楽曲データからなる複数の着信音データと、任意に指定された、着信音データの再生の順序を示す情報および各着信音データの再生時間（すなわち着信音が放音される時間）とが記憶手段に記憶されている。当該携帯端末において着信があると、制御手段が記憶手段に記憶された着信音データの再生の順序を示す情報から、対応する着信音データを順次再生させる制御をする。このとき再生される着信音データのそれぞれは、予め指定された再生時間だけ再生される。
【０００８】
本発明による携帯端末によれば、着信の開始から、前記各着信音データの再生時間の経過毎に、着信音が順次切り替わるので、当該携帯端末の使用者に注意を促すことができる。また、再生させる着信音データおよびその再生時間と再生順序を自由に設定することができるので、例えば、最初の１０秒間は近隣の人に迷惑をかけないようにゆったりとした曲を再生させ、次の１０秒間はテンポの早い曲で呼出が分かりやすいものにするといった設定も可能である。
また、使用者は、再生された着信音から、着信音データの再生順序と各着信音データの再生時間を基に、着信からの経過時間を認識することができる。
【０００９】
【発明の実施の形態】
以下、本発明の実施の形態を、図面を参照して説明する。
図１は、本発明の一実施形態である携帯端末の構成を示すブロック図である。
【００１０】
図１において、符号１ａは、ＣＰＵ（中央処理装置）であり、各種制御プログラムを実行することにより携帯端末１の各部の動作を制御する。本実施の形態において特徴部分である着信音の再生制御等における処理の詳細は後述する。
符号１ｂは、ＲＯＭ（Ｒｅａｄ　Ｏｎｌｙ　Ｍｅｍｏｒｙ）である。このＲＯＭ・１ｂは、ＣＰＵ・１ａが実行する送信・着信等の制御をする各種電話機能プログラムや電子メールの送受信を制御するメール送受信機能プログラムや、楽曲再生処理を補助するプログラムや、着信音データの再生順序や再生時間の設定をするためのプログラムやこの設定に従った着信音データの再生を制御するためのプログラムと、予め記録された楽曲データ（着信音データを含む）や伴奏データ等の各種データが格納されている。
【００１１】
符号１ｃは、ＲＡＭ（Ｒａｎｄｏｍ　Ａｃｃｅｓｓ　Ｍｅｍｏｒｙ）であり、ＣＰＵ・１ａのワークエリアや、ダウンロードされた楽曲データ（着信音データを含む）や伴奏データの格納エリア、および、受信した電子メールのデータが格納されるメールデータ格納エリア等が設定される。
また、符号１ｄは、入力部であり、携帯端末１の本体に設けられた「０」〜「９」のダイヤルボタンを含む各種ボタン（図示せず）からの入力を検知する入力手段である。
【００１２】
また、符号１ｅは、ＬＣＤ（Ｌｉｑｕｉｄ　Ｃｒｙｓｔａｌ　Ｄｉｓｐｌａｙ）等から構成される表示手段であり、電話機能や電子メール送受信機能のメニューや、ダイヤルボタン等の各種ボタンの操作に応じた表示をする。
また、符号１ｆは、音源であり、選択された楽曲データを再生して着信音あるいは保留音として背面スピーカ１ｉから出力する。
また、符号１ｇは、通信部であり、この通信部１ｇに備わるアンテナ１ｊで受信された信号の復調を行うとともに、送信する信号を変調してアンテナ１ｊに供給している。
【００１３】
通信部１ｇで復調された受話信号は、音声処理部１ｈにおいて、ＣＥＬＰデコーダにより復号された後、Ｄ／Ａコンバータ（いずれも図示せず）によりＤ／Ａ変換されて受話口（イヤースピーカ）から出力される。一方、送話口（マイク）から入力された音声信号はＡ／Ｄコンバータによりデジタル化されＣＥＬＰエンコーダ（いずれも図示せず）において圧縮符号化された後、通信部１ｇから基地局に向け送信される。なお、音声データの高能率圧縮符号化／復号化の方式は、ＣＥＬＰ（Ｃｏｄｅ　Ｅｘｃｉｔｅｄ　ＬＰＣ）方式のエンコード／デコードの他、ＡＤＰＣＭ（適応差分ＰＣＭ符号化）方式等であってもよい。
【００１４】
なお、各機能ブロックはバス１０を介してデータや命令の授受を行っている。
また、本実施の形態において携帯端末とは、いわゆるＣＤＭＡ（符合分割多重接続）方式やＰＤＣ（Ｐｅｒｓｏｎａｌ　Ｄｉｇｉｔａｌ　Ｃｅｌｌｕｌａｒ　Ｓｙｓｔｅｍ）方式などの携帯電話機やＰＨＳ（登録商標）（Ｐｅｒｓｏｎａｌ　Ｈａｎｄｙｐｈｏｎｅ　Ｓｙｓｔｅｍ）端末や、ページャ端末や、これらの機能を有する携帯情報端末（ＰＤＡ）を称すものとする。
【００１５】
次に、このように構成された本実施の形態の携帯端末１の動作について説明する。
【００１６】
［設定動作］
ここでは、着信音データの再生順序および各着信音データの再生時間設定の手順を説明する。
はじめに、携帯端末１が順序設定モードであるか判断する（ステップＳ２１）。なお、この順序設定モードは、着信音データの再生順序を登録するための動作モードであって、当該携帯端末１がもつ動作モードの１つであり、入力部１ｄを用いた所定の操作によりこの順序設定モードとなる。
ステップＳ２１の判断により順序設定モードであると判定された場合（Ｙｅｓの判定の場合）、カウンタｎに初期値「１」を設定する（ステップＳ２２）。
【００１７】
そして、使用者に対し順番ｎ（最初はｎ＝１、すなわち１番目）に再生する着信音データを指定する登録を促し、その入力を受け付ける（ステップＳ２３）。
図４（ａ）に、設定画面の一例を示している。この図に示した例では、画面上段にて、再生順番が１となる着信音データを指定する登録を受け付けることを示し、さらに、メロディＡ〜Ｄの４曲が選択可能であることを示している。この例では、使用者は、入力部１ｄを介して選択ボタンをクリックし、所望の着信音データ名（曲名）を選択して、決定ボタンをクリックすることで当該着信音データが順番１の着信音データとして登録される。
なお、ステップＳ２３での登録受付の処理は、ステップＳ２４にて、カウンタｎで示される順番ｎに対応する着信音データを指定する登録が完了したか否かの判断がなされ、当該順番ｎに対応する着信音データを指定する登録が完了したと判定されるまで継続される。
【００１８】
ここで、順番ｎに再生する着信音データを指定する登録が完了すると、ステップＳ２４にてＹｅｓの判定がなされ、ステップＳ２５に移行する。
ステップＳ２５では、使用者が、順番ｎ＋１に再生する着信音データを指定する登録をするのか否かの判断をする。
ここでは、図４（ａ）に類する設定画面にて、使用者が、着信音データの順序設定の完了を指示する所定の操作、例えば設定画面上の決定ボタンをダブルクリックする操作をしたか、順序設定の継続を示す、選択ボタンをクリックして順番ｎ＋１に再生する着信音データを選択する操作をしたかに基づき、着信音データの順序設定が完了したか、順番ｎ＋１に再生する着信音データを指定する登録がなされるかの判定をする。ここで使用者が、例えば決定ボタンをダブルクリックし、着信音データの順序設定の完了を指示した場合は、Ｎｏの判定となり、スタートに戻る。
【００１９】
一方、ステップＳ２５で、Ｙｅｓと判定された場合、すなわち使用者が順序設定の継続を指定する操作をした場合、カウンタｎにｎ＋１を代入し（ステップＳ２６）、ステップＳ２３に移行する。
以上の処理過程が繰り返され、着信音データの再生順序の情報が登録される。この情報は、例えば、再生の順番と再生する着信音データを対応づけるテーブルとしてＲＡＭ・１ｃに記憶される。
【００２０】
次に、ステップＳ２１でＮｏと判定された場合、間隔設定モードであるか否か判断する（ステップＳ２７）。なお、この間隔設定モードは、着信音データの再生時間を登録するための動作モードであって、上記順序設定モードと同様に当該携帯端末１がもつ動作モードの１つであり、入力部１ｄを用いた所定の操作によりこの間隔設定モードとなる。
【００２１】
ステップＳ２７の判断により間隔設定モードであると判定された場合（Ｙｅｓの判定の場合）、使用者に再生時間の登録を促し、その入力を受け付ける（ステップＳ２８）。なお、この処理は、ステップＳ２９にて再生時間の登録が完了したか否かの判断をし、この登録が完了するまで繰り返される。ここでは、設定画面（図示せず）にて再生時間登録の完了を示す入力を受けたか（例えば、再生時間の設定を決定するための決定ボタンのクリック操作がなされたか）否かで、登録が完了したか否かの判定をする。
以上の処理過程により、着信音データの再生時間の情報が登録される。
【００２２】
以上のようにして、着信音データの再生順序と再生時間が登録され、登録の結果は、例えば、図４（ｂ）に示すように表示される。この図では、上部領域に再生される順番に対応して再生される曲名が表示され、下部領域に再生時間（曲再生間隔）が表示されている。
なお、上記例では、１種類の再生時間を登録する場合を説明しているが、各着信音データ毎にそれぞれの再生時間を登録するようにしてもよい。この場合、例えば、順序設定モードにて、ステップＳ２３の順番ｎの着信音データを指定する登録をする際、この着信音データの再生時間も順番ｎに対応付け登録するようにすることで実現できる。
【００２３】
［着信時動作］
まず、ステップＳ３１の判断にて着信ありと判定されると（Ｙｅｓの判定）、次のステップＳ３２に移る。
ステップＳ３２では、カウンタｎに「１」を設定し、先に登録された順番ｎ（最初はｎ＝１）の着信音データ（楽曲データ）を選択する。このとき、ＲＡＭ・１ｃから、このＲＡＭ・１ｃに登録された、順番ｎに対応する楽曲データを示す情報（曲名等）を取得する。
次に、タイマカウンタｍをリセットする（ステップＳ３３）。このとき、ｍ＝０となる。
【００２４】
そして、このタイマカウンタｍの値を、時間の経過に応じてカウントアップし、このカウンタ値ｍをＬＣＤ・１ｅに表示させる（ステップＳ３４）。
次に、今度再生する着信音データとして選択された楽曲データを、当該楽曲データが記録されたＲＯＭ・１ｂまたはＲＡＭ・１ｃから読み出し、音源１ｆに転送する。楽曲データを受けた音源１ｆは、この順番ｎの楽曲データを再生する（ステップＳ３５）。
次に、タイマカウンタｍの値が、先に設定された再生時間（設定値）にカウンタｎの値を乗じた値未満であるか否か判断する（ステップＳ３６）。
【００２５】
ステップＳ３６の判断で、ｍ＜設定値×ｎである（すなわち、タイマカウンタｍの値が、再生時間にカウンタｎの値を乗じた値未満である）と判定された場合には（Ｙｅｓの判定の場合）、次のステップＳ３７に移行する。逆に、ｍ≧設定値×ｎであると判定された場合は（Ｎｏの判定の場合）、ステップＳ３９に移行する。
なお、ここでは、順番１の楽曲データの再生開始時から計数されるタイマカウンタｍの値（タイマカウンタ値）と、順番ｎの楽曲データの再生を終了させるまでの経過時間を示す「設定値×ｎ」、すなわち再生時間×ｎの値とを比較することで、現在再生している楽曲データの再生の停止時を判断している。
【００２６】
次に、ステップＳ３７では、オフフックの状態になったか否か判断し、オフフックであると判定された場合（Ｙｅｓの判定の場合）、このとき使用者が呼出しの応答を開始しているので、音源１ｆでの楽曲データの再生を停止させる（ステップＳ３８）。
一方、ステップＳ３７の判断で、オフフックの状態ではないと判定された場合（Ｎｏの判定の場合）、ステップＳ３４に移行する。そして、ステップＳ３６でＮｏの判定がなされるかステップＳ３７でＹｅｓの判定がなされるまで、ステップＳ３４からステップＳ３７までの処理を繰り返す。
【００２７】
ここで、ステップＳ３６の判断で、ｍ≧設定値×ｎであると判定されたとする（Ｎｏの判定）。このとき、再生中の楽曲データが、登録された再生時間（設定値）だけ再生されたことになるので、ステップＳ３９にて、カウンタｎの値に１加算し（ｎ：＝ｎ＋１）、次の順番の楽曲データへと選択を更新する。
そして、ステップＳ４０にて、今度再生する楽曲データが最終のものであるか否か判断する。ここでは、例えば今度再生する楽曲データの次に再生する楽曲データが登録されているか否かで、今度再生する楽曲データが最終のものであるか否かの判定をする。
【００２８】
ステップＳ４０の判断で、今度再生する楽曲データが最終のものではないと判定された場合（Ｎｏの判定の場合）、ステップＳ３４に移行し、上述したステップＳ３４以降の処理を実行する。
一方、ステップＳ４０の判断で、今度再生する楽曲データが最終のものであると判定された場合（Ｙｅｓの判定の場合）、ステップＳ４１にて最終の楽曲データの再生をする。ここでは、ステップＳ３９にて選択更新された楽曲データを、当該楽曲データが記録されたＲＯＭ・１ｂまたはＲＡＭ・１ｃから読み出し、音源１ｆに転送する。音源１ｆでは、この最終の楽曲データを再生する。
【００２９】
次に、ステップＳ４２にて、オフフックの状態になったか否か判断し、オフフックの状態ではないと判定された場合（Ｎｏの判定の場合）、ステップＳ４１に移行し、最終の楽曲データの再生を継続させる。
一方、ステップＳ４２の判断で、オフフックであると判定された場合（Ｙｅｓの判定の場合）、このとき使用者が呼び出しに応答しているので、音源１ｆでの楽曲データの再生を停止させる。
以降は、通常の通話状態となる。
【００３０】
なお、上記で説明した動作フローは一例であり、上記の処理の流れに限定されるものではない。
また以上において、図面を参照し、この発明の実施形態を詳述してきたが、具体的な構成はこの実施形態に限られるものではなく、この発明の要旨を逸脱しない範囲の構成等も含まれることは言うまでもない。
【００３１】
【発明の効果】
以上、詳細に説明したように、本発明によれば、着信の開始から、前記各着信音データの再生時間の経過毎に、着信音が順次切り替わるので、着信音の音量の増幅によらずとも、当該携帯端末の使用者に注意を促すことができ、当該携帯端末の着信音の判別を容易なものとする。さらに、使用者は、再生された着信音から、指定した着信音データの再生順序と各着信音データの再生時間を基に、着信からの経過時間を認識することができる。また、着信音データとして、ベル音等ではなく適切な楽曲のデータを選択することで、近隣の人たちに極力迷惑がかからないようにすることもできる。
【図面の簡単な説明】
【図１】本発明の一実施の形態である携帯端末の構成を示すブロック図である。
【図２】同実施の形態の携帯端末の設定動作時の動作フローである。
【図３】同実施の形態の携帯端末の着信時の動作フローである。
【図４】同実施の形態の設定画面例である。
【符号の説明】
１…携帯端末、１ａ…ＣＰＵ（制御手段）、１ｂ…ＲＯＭ、１ｃ…ＲＡＭ（記憶手段）、１ｄ…入力部、１ｅ…ＬＣＤ、１ｆ…音源、１ｇ…通信部、１ｈ…音声処理部、１ｉ…背面スピーカ、１ｊ…アンテナ、１０…バス
【図１】
2004040240.tif 000003
【図２】
2004040240.tif 000004
【図３】
2004040240.tif 000005
【図４】
2004040240.tif 000006